(57)【要約】【課題】  猫、犬等が寝そべった場合に、寄り掛かったり、頭部を置くことができる部分を有し、かつコンパクトでリバーシブル可能なペット用ベッドを提供すること。【解決手段】  全周に亘って連続する周壁１１を有し、該周壁１１の一方側の面と他方側の面とを異なる性質の面によって形成し、かつ該周壁１１を反転し得るように構成したペット用ベッド１とした。【選択図】        図６
2005253398.tif 000002
【特許請求の範囲】
【請求項１】
全周に亘って連続する周壁或いはその一部に切り欠きを有する周壁を有し、該周壁を反転し得るように構成したことを特徴とするペット用ベッド。
【請求項２】
前記周壁を、内周壁と、該内周壁の上端で連接された外周壁とによって構成するとともに、内周壁が下端を中心にして反転し、かつ外周壁が内周壁の上端を中心にして反転し得るようにしたことを特徴とする、請求項１に記載のペット用ベッド。
【請求項３】
前記周壁を、内周壁と、該内周壁の上端から略水平方向外方に向けて連接した水平壁と、該水平壁の外周縁から下方に向けて連接した外周壁とによって構成するとともに、内周壁が下端を中心にして反転し、水平壁が内周壁の上端を中心にして反転し、かつ外周壁が水平壁の外周縁を中心にして反転し得るようにしたことを特徴とする、請求項１に記載のペット用ベッド。
【請求項４】
前記周壁の一方側の面と他方側の面とを、異なる性質の面によって形成したことを特徴とする、請求項１〜３のいずれかに記載のペット用ベッド。
【請求項５】
前記周壁を、弾力性を有する材料によって形成したことを特徴とする、請求項１〜４のいずれかに記載のペット用ベッド。
【請求項６】
前記周壁を、複数の剛性を有する材料によって片を形成し、それらの片の端部を互いに可撓性を有する材料によって連結させて構成したことを特徴とする、請求項１〜４のいずれかに記載のペット用ベッド。
【請求項７】
前記周壁の下端によって画成される空間部に底壁を配設したことを特徴とする、請求項１〜６のいずれかに記載のペット用ベッド。
【請求項８】
前記周壁の下端によって画成される形状に対応する形状のクッションを備えたことを特徴とする、請求項１〜７のいずれかに記載のペット用ベッド。
【請求項９】
前記クッションの一方側の面と他方側の面とを、異なる性質の面によって形成したことを特徴とする、請求項８に記載のペット用ベッド。
【発明の詳細な説明】
【技術分野】
【０００１】
本発明は、ペット用ベッドに関するもので、特に猫、犬等の４つ足小動物に適したペット用ベッドに関するものである。
【背景技術】
【０００２】
ペット用ベッドとしては、猫が丸まって寝そべるクッション部と、クッション部の周囲に形成され、寝そべった猫の頭部が置かれる土手状の枕部とからなるものがある（例えば、特許文献１）。
このペット用ベッドは、クッション部および枕部が布地で形成され、内部に綿を詰め込んだものである。
【０００３】
【特許文献１】特開２００２−１９１２４７号公報
【発明の開示】
【発明が解決しようとする課題】
【０００４】
上記特許文献１では、枕部（周壁）の上下中間部内面にクッションを結合させた場合には、上下両面を使用（リバーシブル）し得ることが開示されている。
【０００５】
しかしながら、このようなペット用ベッドでは、ベッドの深さが枕部の高さの半分になるため、十分な深さを確保するためには、枕部の高さを相当（ベッド部の深さの２倍）に高くしなくてはならず、それに伴なって、枕部の幅も大きくなるため、ベッドが大型になってしまう。
また、クッションの下部は床面に接地せず、浮いた状態となるため、ペットが寝そべった場合に、クッションが落ち込み、寝心地が悪い。
【０００６】
本発明は、上記した背景技術が有する実情に鑑みて成されたものであって、コンパクトでリバーシブル可能なペット用ベッドを提供することを課題とする。
【課題を解決するための手段】
【０００７】
上記した課題を解決するため、請求項１のペット用ベッドでは、全周に亘って連続する周壁或いはその一部に切り欠きを有する周壁を有し、該周壁を反転し得るように構成している。
ここで、上記周壁は全周に亘って形成することが好ましいが、例えば、一部に切り欠きを形成し、該切り欠きをペットの出入口としてもよい。
【０００８】
請求項２のペット用ベッドでは、上記請求項１の発明において、前記周壁を、内周壁と、該内周壁の上端で連接された外周壁とによって構成するとともに、内周壁が下端を中心にして反転し、かつ外周壁が内周壁の上端を中心にして反転し得るようにしている。
【０００９】
請求項３のペット用ベッドでは、上記請求項１の発明において、前記周壁を、内周壁と、該内周壁の上端から略水平方向外方に向けて連接した水平壁と、該水平壁の外周縁から下方に向けて連接した外周壁とによって構成するとともに、内周壁が下端を中心にして反転し、水平壁が内周壁の上端を中心にして反転し、かつ外周壁が水平壁の外周縁を中心にして反転し得るようにしている。
【００１０】
請求項４のペット用ベッドでは、上記請求項１〜３のいずれかの発明において、前記周壁の一方側の面と他方側の面とを、異なる性質の面によって形成している。
ここで、周壁の一方側の面とは、周壁が単一の壁体によって構成されたものである場合には、その内側面であり、他方側の面とは、その外側面となる。周壁が内周壁と外周壁、或いは内周壁と水平壁と外周壁と言ったように壁体を連接したものである場合には、周壁の一方側の面とは、内周壁の内側面に連続した面を指し、他方側の面は、内周壁の外側面に連続した面を指す。
また、異なる性質の面とは、異なる材質によって形成したり、或いは異なる色を施すことによって形成できる。そして、異なる材質によって形成される面は、周壁が内面壁，外面壁等の複数の壁体によって構成されている場合には、少なくとも、内面壁の内側面と外側面とに施される。
【００１１】
請求項５のペット用ベッドでは、上記請求項１〜４のいずれかの発明において、前記周壁を、弾力性を有する材料によって形成している。
【００１２】
請求項６のペット用ベッドでは、上記請求項１〜４のいずれかの発明において、前記周壁を、複数の剛性を有する材料によって片を形成し、それらの片の端部を互いに可撓性を有する材料によって連結させて構成している。
【００１３】
請求項７のペット用ベッドでは、上記請求項１〜６のいずれかの発明において、前記周壁の内面下端によって画成される空間部に底壁を配設している。
【００１４】
請求項８のペット用ベッドでは、上記請求項１〜７のいずれかの発明において、前記周壁の内面下端によって画成される形状に対応する形状のクッションを備えている。
【００１５】
請求項９のペット用ベッドでは、上記請求項８の発明において、前記クッションの一方側の面と他方側の面とを、異なる性質の面に形成している。
ここで、異なる性質の表面とは、やはり、上記周壁の場合と同様に、異なる材質によって形成したり、異なる色を施すことによって形成できる。
【発明の効果】
【００１６】
上記請求項１の本発明に係るペット用ベッドによれば、いわゆるリバーシブルに構成したもので、周壁の一方側の面と他方側の面を、ペット収容部として使い分けることができる。
【００１７】
上記請求項２の本発明に係るペット用ベッドによれば、周壁が２重になるため、周壁の強度を高めることができ、かつ安定して床等に着座させることができる。
【００１８】
上記請求項３の本発明に係るペット用ベッドによれば、水平壁によって、ペットの頭部を安定して受け止めることができるとともに、より周壁の強度を高めることができ、さらには、安定して床等に着座させることができる。
【００１９】
上記請求項４の本発明に係るペット用ベッドによれば、例えば、周壁の一方側の面を冷触感の材料によって形成し、他方側の面を暖触感の材料によって形成し、周壁を反転させることによって、夏用と冬用として使い分けることができる。また、周壁の一方側の面と他方側の面に異なる色を施し、周壁を反転させることによって、部屋等の環境に対応さて使い分けることができる。
【００２０】
上記請求項５の本発明に係るペット用ベッドによれば、周壁全体を拡げて反転させることができるので、反転が容易であり、曲面を有する周壁、例えば、円形のペット用ベッドの実現に適する。また、任意の形状に折り畳むことができるので、運搬に際して、バッグ等に容易に収容することができる。
【００２１】
上記請求項６の本発明に係るペット用ベッドによれば、剛性を有する周壁が得られるので、平面を有する周壁、例えば矩形状のペット用ベッドの実現に適する。また、片と片との間の可撓性部で折り畳むことができるので、運搬に際して嵩張ることはない。
【００２２】
上記請求項７の本発明に係るペット用ベッドによれば、周壁の一部が外方に変形されるのが防止され、周壁の形状が維持される。
【００２３】
上記請求項８の本発明に係るペット用ベッドによれば、ペットにとって快適なベッドが得られる。
【００２４】
上記請求項９の本発明に係るペット用ベッドによれば、例えば、クッションの一方側の面を冷触感の材料によって形成し、他方側の面を暖触感の材料によって形成し、クッションを裏返することによって、夏用と冬用として使用することができる。また、クッションの一方側の面と他方側の面に異なる色を施し、クッションを裏返することによって、部屋等の環境に対応さて使い分けることができる。
【発明を実施するための最良の形態】
【００２５】
以下、上記した本発明に係るペット用ベッドの実施の形態を、図面を参照しながら詳細に説明する。
なお、図１は本発明に係るペット用ベッドおよびクッションの一実施の形態を概念的に示した上方視斜視図、図２は図１におけるペット用ベッドの下方視斜視図である。また、図３は図１におけるペット用ベッドのＡ−Ａ線に沿う部分の断面図、図４は図１におけるクッションのＢ−Ｂ線に沿う部分の断面図、図５は図１におけるペット用ベッドのＣ−Ｃ線に沿う部分の拡大断面図、図６は図１に示したペット用ベッドの使用態様を示した断面図、図７は図１に示したペット用ベッドを積み重ねた状態の断面図である。
【００２６】
図示した本発明に係るペット用ベッド１は、ベッド本体１０と、該ベッド本体１０に収納載置されるクッション４０とから構成されている。
【００２７】
上記ベッド本体１０は、矩形状の輪郭を成し、全周に亘って連続した周壁１１が形成されている。この周壁１１は、上方に向かって外方に拡がる内周壁１２と、該内周壁１２の上縁から下方に向かって外方に拡がる外周壁１３とによって構成され、内周壁１２が下端を中心にして反転し、かつ外周壁１３が内周壁１２の上端を中心にして反転し得るように構成されている。
【００２８】
上記内周壁１２は、図５に拡大して示したように、板状のベルポーレンを芯材１４として、その芯材１４の両面に、クッション性を有する板材として、板状のウレタン１５，１６を添設し、その一方側の面、例えば内面側に、被覆材として、裏面にＰＶＣコーティングを施し、黒色に着色された布状のドビーナイロン１７を配置し、他方側の面、例えば外面側に、被覆材として、青色に着色された布状のポリエステル１８を配置するとともに、それらの端部を互いに縫合等によって結合させて、芯材１４およびウレタン１５，１６を包み込み、ほぼ均一な厚みの板状の片１９を構成し、その片１９の下縁を、底壁２０の周縁に縫合等によって結合させるとともに、上方に向かって外方へ拡がるようにして、片１９の端部をそれぞれ結合させて矩形状の枠を成したものである。
【００２９】
また、上記外周壁１３は、やはり図５に拡大して示したように、板状のベルポーレンを芯材２１として、その芯材２１の両面に、クッション性を有する板材として、板状のウレタン２２，２３を添設し、その一方側の面、例えば外面側に、裏面にＰＶＣコーティングを施し、黒色に着色された布状のドビーナイロン２４を配置し、他方側の面、例えば内面側に、青色に着色された布状のポリエステル２５を配置するとともに、それらの端部を互いに縫合等によって結合させて、芯材２１およびウレタン２２，２３を包み込み、ほぼ均一な厚みの板状の片２６を構成し、その片２６の上縁を上記内周壁１２の上縁に縫合等によって結合させるとともに、下方に向かって外方へ拡がるようにして、片２６の端部をそれぞれ結合させて矩形状の枠を成したものである。
【００３０】
なお、帯状のドビーナイロン１７，ポリエステル１８の被覆材に、芯材１４を不連続に配置し、それによって連続的な内周壁１２を形成し、帯状のドビーナイロン２４，ポリエステル２５の被覆材に、芯材２１を不連続に配置し、それによって連続的な外周壁１３を形成し、それらの内周壁１２の上縁と、外周壁１３の上縁を互いに縫合等によって互いに結合させて周壁１１を構成してもよい。
【００３１】
また、上記内周壁１２の各片１９における幅方向中間部下縁には、面ファスナを備えた舌片２７，２８の端部がそれぞれ結合されており、また、上記外周壁１３の各片２６における幅方向中間部下縁にも、面ファスナを備えた舌片２９の端部がそれぞれ結合されている。そして、それらの舌片２７，２８と舌片２９の面ファスナを互いに結合させることによって、図２或いは図５等に示したように、内周壁１２に対して外周壁１３が外方へ変形しないように維持される。
【００３２】
クッション４０は、前記ベッド本体１０の底壁２０に対応した矩形状に形成されている。そして、このクッション４０は、図４に示したように、片面にアルミ蒸着シート４１ａ，４２ａを貼設した２枚の板状ウレタン４１，４２を、アルミ蒸着シートの面が対向するようにして合わせ、それらの間に、中空部４３を形成するとともに、一方側の面、例えば上面に、裏面にＰＶＣコーティングを施し、黒色に着色された布状のドビーナイロン４４を配置し、他方側の面、例えば下面に、青色に着色された布状のポリエステル４５を配置したもので、周縁の３辺を縫合等によって結合し、他の１辺を開口させ、その開口に、図１に示したように、ファスナー４６を配設している。
【００３３】
このクッション４０では、中空部４３に保冷剤または暖房材を収容し、ファスナー４６を閉じることによって、クッション４０を長時間保冷または暖房することができる。
【００３４】
上記したペット用ベッド１の一使用態様は、図６（ａ）に示したように、ベッド本体１０における周壁１１の一方側の面、即ち、内周壁１２の内面側および外周壁１３の外面側に、黒色に着色されたドビーナイロン１７，２４が位置する状態で、内周壁１２と外周壁１３の舌片２７，２９を互いに結合させて、床等に接地させるとともに、底壁２０に、黒色に着色されたドビーナイロン４４が上面に位置する状態で、クッション４０を載置させて使用される。
この状態のペット用ベッド１では、クッション４０におけるペットが寝そべる面および頭部を載せる面が、それぞれ暖触感を有し、また暖かみのある黒色であるため、冬期に適したものとなる。
【００３５】
また、このペット用ベッドの他の使用態様は、内周壁１２を下端を中心にして反転させ、かつ外周壁１３を内周壁１２の上端を中心にして反転させることにより、ベッド本体１０の周壁１１を反転させて、図６（ｂ）に示したように、周壁１１の他方側の面、即ち、内周壁１２の内面側および外周壁１３の外面側に、青色に着色されたポリエステル１８，２５が位置する状態で、内周壁１２と外周壁１３の舌片２８，２９を互いに結合させて、床等に接地させるとともに、クッション４０を裏返して、青色に着色されたポリエステル４５を上面に位置させて、クッション４０を底壁２０に載置させて使用される。
この状態のペット用ベッド１では、クッション４０におけるペットが寝そべる面および頭部を載せる面が、それぞれ冷触感を有し、また涼しげな青色であるため、夏期に適したものとなる。
【００３６】
また、このペット用ベッド１では、図７に示したように、下位のペット用ベッド１の内周壁１２内に上位のペット用ベッド１の底部２０を収容させることができるので、重ねて保管または運搬することができ、嵩張ることはない。
【００３７】
なお、上記実施の形態のペット用ベッド１では、ベッド本体１０とクッション４０とによって構成されているが、クッション４０は必ずしもなくてもよく、ベッド本体１０の底壁２０をクッションを兼ねたものとしてもよい。但し、この場合には、底壁２０の一方側の面と他方側の面とを、異なる性質の面、例えば、一方側の面を冷触感の材料によって形成し、他方側の面を暖触感の材料によって形成することが好ましい。また、ベッド本体１０は、底壁２０を備えているが、底壁１１も必ずしも必要としないが、あると外観が良くなるとともに、周壁１１の保形効果がある。
【００３８】
また、上記実施の形態のペット用ベッド１では、内周壁１２の上縁に外周壁１３の上縁を直接結合させているが、図８に示したように、内周壁１２の上縁と外周壁１３の上縁との間に、水平壁（天井壁）３０を介在させ、ペットの頭部を載せる部分の面積を拡げてもよい。
なお、この場合には、水平壁３０を、上記内周壁１２および外周壁１３と同様に、ベルポーレンを芯材として、その芯材の両面に板状のウレタンを添設し、その一方側の面、例えば上面側に、裏面にＰＶＣコーティングを施し、黒色に着色された布状のドビーナイロン３１を配置し、他方側の面、例えば下面側に、青色に着色された布状のポリエステル３２を配置するとともに、それらの端部を互いに縫合等によって結合させて、芯材およびウレタンを包み込み、ほぼ均一な厚みの板状の片を構成し、その片の両側縁を内周壁１２および外周壁１３の上縁に縫合等によって結合し、内周壁１２が下端を中心にして反転し、水平壁３０が内周壁１２の上端を中心にして反転し、かつ外周壁１３が水平壁３０の外周縁を中心にして反転し得るように構成する。
また、この場合、図８（ｃ）に示したように、内周壁１２を上方に向けて外方に傾斜させ、かつ外周壁１３を下方に向けて外方に傾斜させた場合には、下位のペット用ベッドの周壁に上位のペット用ベッドの周壁を被せるようにして重ね合わせることができるので、複数のペット用ベッドの運搬、保管に際して嵩張ることなく、運搬、保管に有利となる。また、内周壁１２が上方に向けて外方に傾斜していると、ペットが寄り掛かり易いものとなる。
【００３９】
また、上記実施の形態のペット用ベッド１では、周壁１１が内周壁１２と外周壁１３とによって構成されているが、図９に示したように、内周壁１２のみによって周壁１１を構成し、該周壁１１を下端を中心にして反転し得るように構成してもよい。
なお、この場合、内周壁１２が上方に向けて外方に傾斜していると、ペットが寄り掛かり易いものとなるとともに、反転が容易なものとなる。
【００４０】
また、上記実施の形態のペット用ベッド１では、周壁１１を連続的に形成しているが、図１１（ａ），（ｂ）に示したように、周壁１１の一部を切り欠いて、そこにペットの出入口３３を形成してもよく、この場合、周壁１１の一部を完全に下端まで切り欠いてもよく、また、図１１（ｂ）に示したように、周壁１１の一部を残してもよい。
【００４１】
また、上記実施の形態のペット用ベッド１では、ベッド本体１０を矩形状に形成しているが、図１０に示したように、円形に形成することもでき、また、図示は省略したが、５角形、６角形等の多角形としてもよい。
【００４２】
さらに、上記実施の形態のペット用ベッド１では、周壁１１、例えば、内周壁１２，外周壁１３が、均一な肉厚に形成されているが、図１２（ａ），（ｂ）に示したように、一端の肉厚が厚く、他端の肉厚が薄くなるように形成してもよく、図１２（ｃ）に示したように、中間部の肉厚を厚くなるように形成してもよい。要は、周壁１１が、反転し得る構成のものであればよく、反転して異なる性質の面が現れるものであればなおよい。
なお、図１２に示したものは、いずれも内周壁１２が上方に向けて外方に傾斜し、かつ外周壁１３が下方に向けて外方に傾斜しているため、下位のペット用ベッドの周壁に上位のペット用ベッドの周壁を被せるようにして重ね合わせることができ、複数のペット用ベッドの運搬、保管に際して嵩張ることなく、運搬、保管に有利となる。
【００４３】
以上、本発明に係るペット用ベッドの実施の形態を説明したが、本発明は、何ら既述の実施の形態に限定されず、特許請求の範囲に記載した本発明の技術的思想の範囲内において、更に、種々の変形および変更が可能であることは当然である。
【図面の簡単な説明】
【００４４】
【図１】本発明に係るペット用ベッドおよびクッションの一実施の形態を概念的に示した上方視斜視図である。
【図２】図１におけるペット用ベッドの下方視斜視図である。
【図３】図１におけるペット用ベッドのＡ−Ａ線に沿う部分の断面図である。
【図４】図１におけるクッションのＢ−Ｂ線に沿う部分の断面図である。
【図５】図１におけるペット用ベッドのＣ−Ｃ線に沿う部分の拡大断面図である。
【図６】図１に示したペット用ベッドの使用態様を示した断面図である。
【図７】図１に示したペット用ベッドを積み重ねた状態の断面図である。
【図８】本発明に係るペット用ベッドにおける周壁の変形例を示した概念的な部分断面図である。
【図９】本発明に係るペット用ベッドの他の実施の形態を示した概念的な斜視図である。
【図１０】本発明に係るペット用ベッドのさらに他の実施の形態を示した概念的な斜視図である。
【図１１】本発明に係るペット用ベッドのさらに他の実施の形態を示した概念的な斜視図である。
【図１２】本発明に係るベット用ベッドのさらに他の実施の形態を示した概念的な断面図である。
【符号の説明】
【００４５】
１  ペット用ベッド
１０  ベッド本体
１１  周壁
１２  内周壁
１３  外周壁
１４  芯材
１５，１６  板状のウレタン
１７  黒色に着色された布状のドビーナイロン
１８  青色に着色された布状のポリエステル
１９  板状の片
２０  底壁
２１  芯材
２２，２３  板状のウレタン
２４  黒色に着色された布状のドビーナイロン
２５  青色に着色された布状のポリエステル
２６  板状の片
２７，２８，２９  舌片
３０  天井壁
３１  黒色に着色された布状のドビーナイロン
３２  青色に着色された布状のポリエステル
３３  出入口
４０  クッション
４１，４２  板状のウレタン
４１ａ，４２ａ  アルミ蒸着シート
４３  中空部
４４  黒色に着色された布状のドビーナイロン
４５  青色に着色された布状のドビーナイロン
４６  ファスナー
【図１】
2005253398.tif 000003
【図２】
2005253398.tif 000004
【図３】
2005253398.tif 000005
【図４】
2005253398.tif 000006
【図５】
2005253398.tif 000007
【図６】
2005253398.tif 000008
【図７】
2005253398.tif 000009
【図８】
2005253398.tif 000010
【図９】
2005253398.tif 000011
【図１０】
2005253398.tif 000012
【図１１】
2005253398.tif 000013
【図１２】
2005253398.tif 000014